(57)【要約】【課題】構造が簡単で、安価であり、かつ設置作業が容易な分割電柱を提供する。【解決手段】２本以上の柱体が接続されて１本の電柱とされる分割電柱である。柱体のうち上方に位置する上部柱体１と、下方に位置する下部柱体２と、複数の貫通孔を有し、上部柱体１の下端部外周、及び下部柱体２の上端部外周に巻装される略円筒状の接続具１０と、貫通孔に挿通され、接続具１０と上部柱体１及び下部柱体２とを固着するコンクリートビス５と、からなる。【選択図】図１
2019157447.tif 000002
【特許請求の範囲】
【請求項１】
２本以上の柱体が接続されて１本の電柱とされる分割電柱において、
該柱体のうち上方に位置する上部柱体と、下方に位置する下部柱体と、
複数の貫通孔を有し、該上部柱体の下端部外周、及び該下部柱体の上端部外周に巻装される略円筒状の接続具と、
該貫通孔に挿通され、該接続具と該上部柱体及び該下部柱体とを固着する固着具と、からなることを特徴とする分割電柱。
【請求項２】
前記柱体、及び前記接続具は、テーパー状の外形を有することを特徴とする請求項１記載の分割電柱。
【請求項３】
前記柱体はコンクリート製であり、前記固着具はコンクリートビスであることを特徴とする請求項１又は２記載の分割電柱。
【請求項４】
前記コンクリートビスは、前記上部柱体、及び前記下部柱体の各々に、軸方向の略同一位置の外周上に等間隔に複数本設けられていることを特徴とする請求項３記載の分割電柱。
【請求項５】
前記コンクリートビスは、前記上部柱体、及び前記下部柱体の各々に、足場ボルトと軸方向の略同一位置の外周上に複数本設けられ、
該足場ボルトと該コンクリートビスとは、等間隔に設けられていることを特徴とする請求項３記載の分割電柱。
【請求項６】
前記接続具は鋼製、かつ軸方向長さは８０ｃｍ以上、１２０ｃｍ以下であることを特徴とする請求項４又は５に記載の分割電柱。
【発明の詳細な説明】
【技術分野】
【０００１】
本発明は、分割、組み立て式の分割電柱に関する。
【背景技術】
【０００２】
近年、道路交通法の規制による運搬上の問題や狭い土地での電柱の設置、撤去の問題等から、１本の電柱を２本以上の電柱に分割して運搬し、設置現場において組み立てる分割電柱が注目されている。このような分割電柱として、特許文献１に示されたものが知られている。この分割電柱（コンクリート柱１０１）は、上柱部１１０と下柱部１２０とが別体として形成されている。そして、上柱部１１０の下端に一体的に設けられたフランジ部１１１と、下柱部１２０の上端に一体的に設けられたフランジ部１２１とが、ボルト１３１及びナット１３２を用いて接合されることで１本にされている。これにより、所定長さ以下に分割された複数の電柱として運搬し、現場において組み立てて１本の電柱として設置することができ、運搬コストを削減することができるのみならず、設置時の作業性や安全性を向上させることができる。
【０００３】
しかしながら、この分割電柱（コンクリート柱１０１）では、フランジ部１１１、１２１が上柱部１１０、下柱部１２０の外周面より突出しているため、作業者が分割電柱（コンクリート柱１０１）を昇降する場合にフランジ部１１１、１２１が邪魔になり、作業性が低下してしまう。これに対し、特許文献２に示された分割電柱が提案されている。この分割電柱（電柱１０）は、上ポール１１、中ポール１２、下ポール１３に３分割して構成されており、上、中、下ポール１１、１２、１３の端部に備えられた端部部材２０に継手部材３０を締結することによって連結されている。そして、端部部材２０、継手部材３０は、電柱１０の外周面より突出しないように構成されているため、作業者が分割電柱（電柱１０）を昇降する場合に邪魔になることがなく、作業性に優れている。
【先行技術文献】
【特許文献】
【０００４】
【特許文献１】特開２００８−９５４５６号公報（段落〔００１６〕、図１、２）
【特許文献２】特開２００８−１０１３２６号公報（段落〔００３５〕〜〔００４５〕、図１〜図４）
【発明の概要】
【発明が解決しようとする課題】
【０００５】
しかし、上記特許文献２に示される分割電柱（電柱１０）では、継手部材３０だけでなく、上、中、下ポール１１、１２、１３の端部に端部部材２０を取り付ける必要がある。そのため、部品点数が多い上、構造も複雑であり、必ずしも安価であるとは限らない。なお、特許文献１に示される分割電柱においては、フランジ部１１１、１２１が上柱部１１０、下柱部１２０の外周面より突出しているため、フランジ部１１１、１２１、及びその近辺に配電線や通信線を共架するための腕金を取り付けることができない。また、特許文献２に示される分割電柱においては、継手部材３０が電柱１０の外周面より突出していないが、継手部材３０の外形が円筒状でないため、この場合も継手部材３０に腕金を取り付けることができない。
【０００６】
本発明はかかる従来の問題点に鑑みてなされたものであり、構造が簡単で、安価であり、かつ設置作業が容易な分割電柱を提供するものである。
【課題を解決するための手段】
【０００７】
上記の課題を解決するために、請求項１に係る分割電柱の特徴は、２本以上の柱体が接続されて１本の電柱とされる分割電柱において、該柱体のうち上方に位置する上部柱体と、下方に位置する下部柱体と、複数の貫通孔を有し、該上部柱体の下端部外周、及び該下部柱体の上端部外周に巻装される略円筒状の接続具と、該貫通孔に挿通され、該接続具と該上部柱体及び該下部柱体とを固着する固着具と、からなることである。
【０００８】
請求項２に係る分割電柱の特徴は、前記柱体、及び前記接続具は、テーパー状の外形を有することである。
【０００９】
請求項３に係る分割電柱の特徴は、前記柱体はコンクリート製であり、前記固着具はコンクリートビスであることである。
【００１０】
請求項４に係る分割電柱の特徴は、前記コンクリートビスは、前記上部柱体、及び前記下部柱体の各々に、軸方向の略同一位置の外周上に等間隔に複数本設けられていることである。
【００１１】
請求項５に係る分割電柱の特徴は、前記コンクリートビスは、前記上部柱体、及び前記下部柱体の各々に、足場ボルトと軸方向の略同一位置の外周上に複数本設けられ、該足場ボルトと該コンクリートビスとは、等間隔に設けられていることである。
【００１２】
請求項６に係る分割電柱の特徴は、前記接続具は鋼製、かつ軸方向長さは８０ｃｍ以上、１２０ｃｍ以下であることである。
【発明の効果】
【００１３】
請求項１に係る分割電柱においては、２本以上の柱体と接続具と固着具とからなっている。接続具は複数の貫通孔を有する略円筒状であり、構造が簡単である上、安価である。さらに、接続具を上部柱体の下端部外周、及び下部柱体の上端部外周に巻装し、固着具を貫通孔に挿通して固着するにより上部柱体と下部柱体とが接続されるため、電柱設置作業も容易である。したがって、請求項１に係る分割電柱によれば、構造が簡単で、安価であり、かつ設置作業が容易である。
【００１４】
また、接続具は、上部柱体、下部柱体と同じ円筒状の外形である上、外周面より突出する部分がないため、作業者が分割電柱を昇降する場合に邪魔になることがないだけでなく、接続具自体にも腕金を容易に取り付けることができる。このように、上部柱体、下部柱体だけでなく接続具自体にも腕金を取り付けることができることから、腕金の取り付け位置が制限されず、配電線や通信線を地上から望ましい高さで共架することが可能である。なお、本明細書において、「略円筒状」とは、円筒状の他、全体としてテーパー状になっているものや、円筒状とテーパー状が組み合わさっているもの等も含まれる。
【００１５】
請求項２に係る分割電柱においては、柱体、及び接続具がテーパー状の外形を有している。そのため、接続具の径を柱体の径に合わせることにより、上部柱体の下端部と下部柱体の上端部との間の位置から落下することがなく、設置作業がより容易になる。
【００１６】
請求項３に係る分割電柱においては、柱体はコンクリート製であり、固着具がコンクリートビスであるため、接続具と上部柱体及び下部柱体とを簡単に固着することができる。また、コンクリートビスは、柱体の外周面より突出する部分がほとんどないため、作業者が分割電柱を昇降する場合に邪魔になることがない。
【００１７】
請求項４に係る分割電柱においては、コンクリートビスは、上部柱体、及び下部柱体の各々に、軸方向の略同一位置の外周上に等間隔に複数本設けられているため、接続具と上部柱体及び下部柱体とを確実に固着することができる。
【００１８】
請求項５に係る分割電柱においては、コンクリートビスは、上部柱体、及び下部柱体の各々に、足場ボルトと軸方向の略同一位置の外周上に複数本設けられている。そして、足場ボルトとコンクリートビスとは、等間隔に設けられている。すなわち、足場ボルトがコンクリートビスの代用をしているため、コンクリートビスの数を節約するとともに、取り付け時間を短縮することができる。
【００１９】
請求項６に係る分割電柱においては、接続具が鋼製であるため、十分な強度を得やすい。また、接続具の軸方向長さは８０ｃｍ以上、１２０ｃｍ以下であり、取り扱いやすい長さである上、上部柱体と下部柱体とを接続するために十分な長さである。
【図面の簡単な説明】
【００２０】
【図１】実施形態１の分割電柱の正面図。
【図２】実施形態１の分割電柱に係り、接続具の正面図。
【図３】実施形態１の分割電柱に係り、図２におけるＩＩＩ―ＩＩＩ矢視断面図。
【図４】実施形態１の分割電柱に係り、下部柱体と上部柱体との接続を示す図。
【図５】実施形態２の分割電柱に係り、接続具の正面図。
【図６】実施形態２の分割電柱に係り、図５におけるＶＩ―ＶＩ矢視断面図。
【発明を実施するための形態】
【００２１】
本発明に係る分割電柱を具体化した実施形態１、２を図面に基づいて以下に説明する。まず、実施形態１の分割電柱について説明する。図１は、実施形態１の分割電柱の正面図である。図１に示す分割電柱は、２本の柱体に分割されており、上方に位置する上部柱体１と、下方に位置する下部柱体２とが接続されている。上部柱体１と下部柱体２とは、コンクリート製であり、上部柱体１の上端から下部柱体２の下端に向かって径が次第に大きくなるテーパー状の外形をしている。この上部柱体１、下部柱体２のテーパーに関しては、その製造工程においてセメントを流し込む型枠に付けられたテーパー（例えば、１／７５、１／１６０）により決定される。なお、実施形態１、２においては、説明の都合上、上部柱体１と下部柱体２とが接続されて１本の分割電柱とされているが、３本以上の柱体が接続されて１本の分割電柱とされる場合も同様に考えることができる。
【００２２】
また、上部柱体１の下端部外周、及び下部柱体２の上端部外周には、略円筒状の接続具１０が巻装されている。そして、接続具１０は、固着具としてのコンクリートビス５により上部柱体１及び下部柱体２に固着されている。このコンクリートビス５は、上部柱体１、及び下部柱体２の各々に、軸方向の略同一位置の外周上に等間隔に４本設けられている。これにより、上部柱体１と下部柱体２とが固く接続されて１本の分割電柱とされる。また、上部柱体１と下部柱体２とには、左右交互に所定の間隔で足場ボルト３が螺着されている。この足場ボルト３は、作業者が分割電柱を昇降する場合に足場として使用されるものである。さらに、接続具１０には、上部柱体１及び下部柱体２と同じ割合のテーパーが付けられている。そして、接続具１０の上部半分が上部柱体１に巻装され、下部半分が下部柱体２に巻装されるように、接続具１０の径が決定されている。
【００２３】
図２、及び図３に示すように、接続具１０は略円筒状をなし、８個の貫通孔１５と２個の長孔１３を有している。この貫通孔１５にコンクリートビス５が挿通され、接続具１０と上部柱体１及び下部柱体２とが固着される。したがって、貫通孔１５は、接続具１０の上端部と下端部との軸方向の略同一位置に等間隔に４個、合計８個設けられている。長孔１３は足場ボルト３が挿通されるものであり、製造時の公差を考慮して、接続具１０の軸方向に長い孔になっている。この長孔１３は、軸方向に所定の間隔をもって、軸を挟んで１８０度反対側に２個設けられている。また、接続具１０は鋼製であり、その軸方向長さは１００ｃｍである。なお、取り扱いやすさ、上部柱体１と下部柱体２とを接続するために十分な長さを確保するため、接続具１０の軸方向長さは８０ｃｍ以上、１２０ｃｍ以下であることが望ましい。また、長孔１３の替わりに、丸孔を設けてもよい。この接続具１０は、所定の長さの鋼板を曲げ加工した後、溶接することにより得ることができる。
【００２４】
以上のような構成の分割電柱の設置方法を、図４を用いて説明する。まず、電柱の設置場所に下部柱体２をクレーンで吊り下げて鉛直に設置する。そして、上部柱体１の上端から接続具１０を嵌めてクレーンで吊り下げる。これにより、図４に示すように、接続具１０の上半分が上部柱体１に嵌まり、上部柱体１の下端面１ａより下の接続具１０の内部に下部柱体２が嵌入される空間１０ａが形成される。そして、矢印で示すように、上部柱体１を下ろし、空間１０ａ内に下部柱体２を嵌入する。その際、接続具１０が下方に向かって径が大きくなるテーパー状であるため、接続具１０自体がガイドとなり、空間１０ａに下部柱体２を嵌入し易くなる。
【００２５】
最後に、上部柱体１の軸と下部柱体２の軸とを合わせ、足場ボルト３が螺着される取付ナット４が長孔１３に入るように調整する。そして、コンクリートビス５を貫通孔１５に挿通して締めつけ接続具１０と上部柱体１及び下部柱体２とを固着する。また、足場ボルト３を長孔１３に挿通して取付ナット４に螺着する。こうして、図１に示すように、上部柱体１と下部柱体２とが接続される。ただし、図１は、図４に対して、上部柱体１、下部柱体２の軸の回りに全体を９０度回転させた関係にある。なお、足場ボルト３を取付ナット４に螺着することにより、接続具１０と上部柱体１及び下部柱体２とをさらに固着するようにしてもよい。
【００２６】
実施形態１に係る分割電柱においては、接続具１０は複数の貫通孔１５を有する略円筒状であり、構造が簡単である上、安価である。さらに、接続具１０を上部柱体１の下端部外周、及び下部柱体２の上端部外周に巻装し、固着具であるコンクリートビス５を貫通孔１５に挿通して固着するにより上部柱体１と下部柱体２とが接続されるため、電柱設置作業も容易である。したがって、この分割電柱によれば、構造が簡単で、安価であり、かつ設置作業が容易である。また、接続具１０は、上部柱体１、下部柱体２と同じ円筒状の外形である上、外周面より突出する部分がないため、作業者が分割電柱を昇降する場合に邪魔になることがないだけでなく、接続具１０自体にも腕金を容易に取り付けることができる。このように、上部柱体１、下部柱体２だけでなく接続具１０自体にも腕金を取り付けることができることから、腕金の取り付け位置が制限されず、配電線や通信線を地上から望ましい高さで共架することが可能である。
【００２７】
また、この分割電柱においては、上部柱体１、及び下部柱体２がテーパー状の外形を有している。また、接続具１０が上部柱体１、及び下部柱体２の径に合わせたテーパー状になっているため、上部柱体１の下端部と下部柱体２の上端部との間の位置から落下することがなく、設置作業がより容易になる。
【００２８】
さらに、この分割電柱においては、上部柱体１、及び下部柱体２はコンクリート製であり、固着具がコンクリートビス５であるため、接続具１０と上部柱体１及び下部柱体２とを簡単に固着することができる。また、コンクリートビス５は、上部柱体１、及び下部柱体２の外周面より突出する部分がほとんどないため、作業者が分割電柱を昇降する場合に邪魔になることがない。
【００２９】
また、この分割電柱においては、コンクリートビス５は、上部柱体１、及び下部柱体２の各々に、軸方向の略同一位置の外周上に等間隔に複数本設けられているため、接続具１０と上部柱体１及び下部柱体２とを確実に固着することができる。
【００３０】
さらに、この分割電柱においては、接続具１０が鋼製であるため、十分な強度を得やすい。また、接続具１０の軸方向長さは８０ｃｍ以上、１２０ｃｍ以下であり、取り扱いやすい長さである上、上部柱体１と下部柱体２とを接続するために十分な長さである。
【００３１】
次に、実施形態２の分割電柱について説明する。実施形態２の分割電柱においては、実施形態１の接続具１０の替わりに、図５、図６に示す接続具２０が用いられる。接続具１０が８個の貫通孔１５を有しているのに対し、この接続具２０は６個の貫通孔１５を有している。そして、貫通孔１５は、長孔１３と略同一高さ位置に設けられている。すなわち、接続具２０では、２本の足場ボルト３を２本のコンクリートビス５の替わりに利用している。そのため、接続具２０と上部柱体１及び下部柱体２とは、２本の足場ボルト３と６本のコンクリートビス５とにより固着される。また、接続具２０の軸方向長さは８０ｃｍである。なお、接続具２０のその他の構成は接続具１０と同様であり、分割電柱の設置方法は実施形態１と同様である。
【００３２】
実施形態２に係る分割電柱においては、２本の足場ボルト３が２本のコンクリートビス５の代用をしているため、コンクリートビスの数を節約するとともに、取り付け時間を短縮することができる。その他の効果は、実施形態１と同様である。
【００３３】
以上、本発明の分割電柱を実施形態１、２に即して説明したが、本発明はこれらに制限されるものではなく、本発明の技術的思想に反しない限り、適宜変更して適用できることはいうまでもない。例えば、実施形態１、２においては、柱体としてコンクリート柱を採用したが、鋼管柱、コンクリート柱と鋼管柱を組み合せた複合柱等であってもよい。また、テーパー形状の柱体、接続具を採用したが、円柱形状の柱体、接続具であってもよい。
【符号の説明】
【００３４】
１…上部柱体、２…下部柱体、３…足場ボルト、４…取付ナット、５…コンクリートビス（固定具）、１０、２０…接続具、１３…長孔、１５…貫通孔。
【図１】
2019157447.tif 000003
【図２】
2019157447.tif 000004
【図３】
2019157447.tif 000005
【図４】
2019157447.tif 000006
【図５】
2019157447.tif 000007
【図６】
2019157447.tif 000008